(57)【要約】  ２次元光走査装置は、回転する回転体または循環回転する移動体を持つ。該装置は、少なくとも２つの直線型光源部を持つ。回転体は筒状ドラムの形状に形成することもできる。移動体は少なくとも２つの筒状ドラムとこれらの間に連結された無端ベルトを有してもよい。各々の直線型光源部は、回転体または移動体上に配置されて、互いに交互して、映像を投射する。該装置は、多様な方向で光を投射できるため、複数のスクリーンを用いる映像表示装置にも利用することができる。
2007508598.tif 000002
【特許請求の範囲】
【請求項１】
回転する回転体；及び
前記回転体の表面に配置され、一列に配列された複数の発光素子を含み、表示される映像に従って変調された赤、緑及び青色光を発光する少なくとも２つ以上の直線型光源部；
を含むことを特徴とする２次元光走査装置。
【請求項２】
前記回転体が筒状ドラムの形状であることを特徴とする請求項１に記載の２次元光走査装置。
【請求項３】
前記直線型光源部の個数をｎとする時、各々の直線型光源部が互いに３６０°／ｎの角度をなしながら前記回転体の表面に配置されることを特徴とする請求項２に記載の２次元光走査装置。
【請求項４】
循環回転する移動体；及び
前記移動体上に配置され、一列に配置される複数の発光素子を含み、表示される映像に従って変調される赤、緑及び青色光を発光する少なくとも２つ以上の直線型光源部；
を含むことを特徴とする２次元光走査装置。
【請求項５】
前記移動体が少なくとも２個の筒状ドラムと、前記ドラム間に連結された無端のベルトまたはチェーンを含むことを特徴とする請求項４に記載の２次元光走査装置。
【請求項６】
前記直線型光源部の個数をｎとし、前記ベルトまたはチェーンの長さをｓとする時、各々の直線型光源部が互いにｓ／ｎの間隔で前記ベルトまたはチェーン上に配置されることを特徴とする請求項５に記載の２次元光走査装置。
【請求項７】
前記移動体上に配置された直線型光源部が直線運動をする区間が存在することを特徴とする請求項４に記載の２次元光走査装置。
【請求項８】
前記直線型光源部の長さ方向と前記回転体の回転軸が実質的に平行であることを特徴とする請求項１に記載の２次元光走査装置。
【請求項９】
前記直線型光源部の長さ方向と前記移動体の移動方向が互いに実質的に垂直であることを特徴とする請求項４に記載の２次元光走査装置。
【請求項１０】
前記各々の直線型光源部の各々の発光素子から発する光を各々のほぼ平行なビームに変換するコリメータレンズ部または収束するビームに変換する収束光学部をさらに含むことを特徴とする請求項１に記載の２次元光走査装置。
【請求項１１】
前記各々の直線型光源部の各々の発光素子から発する光を各々のほぼ平行なビームに変換するコリメータレンズ部または収束するビームに変換する収束光学部をさらに含むことを特徴とする請求項４に記載の２次元光走査装置。
【請求項１２】
前記直線型光源部の各々の発光素子は、発光ダイオードチップとエポキシモールド部を含み、エポキシモールド部で光が出射する表面は、球面または非球面に形成されて、レンズの機能を果たすことを特徴とする請求項４に記載の２次元光走査装置。
【請求項１３】
前記直線型光源部の各々の発光素子は、表面発光型ダイオード素子であり、前記ダイオード素子の表面中、所定の部分を除いては金属コーティングがされていることを特徴とする請求項１に記載の２次元光走査装置。
【請求項１４】
前記直線型光源部の最大走査角度θｍａｘを所定の解像度で分割してｉ番目の走査角度θｉと（ｉ+１）番目の走査角度θｉ+１の間で直線型光源が変調された光を発光する時間間隔Δｔは、次の式
ｔａｎθｍａｘ ＝ ｋ（ｔａｎθｉ-ｔａｎθｉ+１）
Δｔ ＝ （θｉ-θｉ+１）／２ω
（ここで
（２ｋ+１）は最大画素のライン数；
θｉ+１は（ｉ+１）番目の走査角度；
ωは走査手段の回転角速度である）
を満足することを特徴とする請求項１に記載の２次元光走査装置。
【請求項１５】
前記直線型光源部の最大走査角度θｍａｘを所定の解像度で分割してｉ番目の走査角度θｉと（ｉ+１）番目の走査角度θｉ+１の間で直線型光源が変調した光を発光する時間間隔Δｔは、次の式
ｔａｎθｍａｘ ＝ ｋ（ｔａｎθｉ-ｔａｎθｉ+１）
Δｔ ＝ （θｉ-θｉ+１）／２ω
（ここで
（２ｋ+１）は最大画素のライン数；
θｉ+１は（ｉ+１）番目の走査角度；
ωは走査手段の回転角速度である）
を満足することを特徴とする請求項４に記載の２次元光走査装置。
【請求項１６】
回転する回転体；
前記回転体上の表面に配置され、一列に配列された複数の発光素子を含み、表示される映像に従って変調された赤、緑及び青色光を発光する少なくとも２つ以上の直線型光源部；及び
前記光源から走査された光が投射される少なくとも１つ以上のスクリーン
を含むことを特徴とする映像表示装置。
【請求項１７】
循環回転する移動体；
前記移動体上に配置され、一列に配置された複数の発光素子を含み、表示される映像に従って変調された赤、緑及び青色光を発光する少なくとも２つ以上の直線型光源部；及び
前記光源から走査された光が投射される少なくとも１つ以上のスクリーン
を含むことを特徴とする映像表示装置。
【請求項１８】
前記移動体が少なくとも２つの筒状ドラムと、前記ドラム間に連結された無端のベルトまたはチェーンを含むことを特徴とする請求項１７に記載の映像表示装置。
【請求項１９】
前記移動体上に配置された直線型光源部が直線運動をする区間が存在することを特徴とする請求項１７に記載の映像表示装置。
【請求項２０】
前記スクリーンを２つ以上含む場合、各々のスクリーンが互いに異なる方向に配置されることを特徴とする請求項１６に記載の映像表示装置。
【請求項２１】
前記スクリーンを２つ以上含む場合、各々のスクリーンが互いに異なる方向に配置されることを特徴とする請求項１７に記載の映像表示装置。
【発明の詳細な説明】
【技術分野】
【０００１】
本発明は、２次元光走査装置及びこれを利用する映像表示装置に関し、より具体的には回転または移動する直線型光源を使って、光ビームを２次元的に走査する２次元光走査装置及びこれを利用する映像表示装置に関する。
【背景技術】
【０００２】
最近、大型映像表示装置に対する需要が増えており、大型映像表示装置は、ＣＲＴ装置のような直視型、ＬＣＤ装置のようなプロジェクション型、及び光学的走査型として分類することができる。
【０００３】
直視型映像表示装置であるＣＲＴ装置は、赤／緑／青色電子ビームが蛍光表面と当たってカラー画像を生成する。ＣＲＴ装置は、電子銃と蛍光表面の間の電子ビームの長い流動距離を要するため、その寸法が大きくなって大重量になる。従って、ＣＲＴ装置は大型画面の映像表示装置には適しない。
【０００４】
投射形画像表示装置のＬＣＤプロジェクタは、軽薄化が可能な利点があるが、偏光板の採用によって光損失が生じる不利がある。
【０００５】
光学的走査方式による映像表示装置は、本出願人の韓国特許第０３６６１５５号で提案されたが、前記特許の場合には２つの回転多面鏡を使って２次元に走査するため、光走査装置の体積が相対的に大きくなる。また、回転多面鏡を用いる場合、回転軸を中心に光軸に対して反射面が少しずつ移動する偏差が生じるだけでなく、回転多面鏡の反射面に入射する光線の入射角が大きい場合には、反射面を広くしなければならないなどの制約があった。
【発明の開示】
【発明が解決しようとする課題】
【０００６】
本発明の目的は、前記問題点を解決するためのものであり、回転多面鏡を使わずに、直線型光源自体を回転または移動させて、２次元走査が可能な２次元光走査装置及びこれを利用する映像表示装置を提供することである。
【０００７】
本発明の他の目的は、一つの光走査装置を使って、複数のスクリーンに別途の映像を表示できる映像表示装置を提供することである。
【課題を解決するための手段】
【０００８】
前記の目的及びその他の目的を達成するための本発明の第１特徴による２次元光走査装置は、回転する回転体、及び回転体の表面に配置される少なくとも２つ以上の直線型光源部を有する。各々の直線型光源部は、一列に配列された複数の発光素子からなり、表示される映像に従って変調された赤、緑及び青色光を発光する。この時、回転体は筒状ドラムの形状に形成することもできる。
【０００９】
本発明の第２特徴による２次元光走査装置は、循環回転する移動体、及び移動体上に配置される少なくとも２つ以上の直線型光源部を有する。各々の光源部は、一列に配列された複数の発光素子からなり、表示される映像に従って変調された赤、緑及び青色光を発光する。この時、移動体は少なくとも２つの筒状ドラムとこれらの間に連結された無端のベルトまたはチェーンとして形成することもできる。
【００１０】
本発明の第３特徴による映像表示装置は、回転する回転体、回転体の表面に配置された少なくとも２つ以上の直線型光源部、及び光源から走査された光が投射される少なくとも１つ以上のスクリーンを有する。
【００１１】
本発明の第４特徴による映像表示装置は、循環回転する移動体、移動体上に配置された少なくとも２つ以上の直線型光源部、及び光源から走査された光が投射される少なくとも１つ以上のスクリーンを有する。この時、スクリーンを２つ以上含む場合、各々のスクリーンが互いに異なる方向に配置されることもできる。
【発明の効果】
【００１２】
本発明による２次元光走査装置は、回転する回転体または循環する移動体に配置された直線型光源部を用いるため、従来の２次元走査装置に比べて小型化できる利点がある。また、本発明による２次元光走査装置は、回転多面鏡を使わないため、回転多面鏡によって発生する光学的な収差及び歪曲現象を防止することができる。さらに、回転多面鏡によって発生する軸上移動による設計上の困難も避けられる。
【００１３】
本発明によると、直線型光源を多様に構成することができ、光源の長さ程度の寸法で走査できるだけでなく拡大して走査することも可能で、大型映像表示装置にも用いることができる。
【００１４】
本発明による映像表示装置は、一つの走査装置を使って、複数のスクリーンに映像を表示することができ、各々のスクリーンに別途の画面を構成することができるため活用度が非常に大きい。
【発明を実施するための最良の形態】
【００１５】
以下、本発明による２次元光走査装置について、添付図を参照して、本発明が属する技術分野において通常の知識を有する者が容易に実施できるように詳細に説明する。
【００１６】
まず、図１及び図２を参照して、本発明の第１実施例による映像表示装置用２次元光走査装置について説明する。
【００１７】
図１及び図２に示された２次元光走査装置１０は、図示されていないモータに連結されて回転する円筒形のドラム３００と、前記ドラムの円筒面に配置された二つの直線型光源部、つまり、第１直線型光源部１００と第２直線型光源部１００´で構成される。
【００１８】
各々の直線型光源部１００、１００´は、好ましくは多数の発光素子１１０、例えばレーザダイオードまたは発光ダイオード（ＬＥＤ）が一列に配列された形態で、表示される映像に該当する赤色、緑色、青色の変調された光を放出する。直線型光源１００としては、図３ａに示されているように、多数の発光素子１１０が１列に配列されたものを用いることができるが、１列では十分な解像度を得られない場合、或は光量が不十分な場合には、２つ以上のアレイに配列された光源を用いることもできる。（図３ｂ参照）
また、各々の発光素子から出る光の強度の効率を極大化するため、図５に示されているように楔型プリズム２１０または楔型反射面を用いることができる。
【００１９】
図４に示された楔型プリズム２１０は、反射コーティングされた傾斜面２１１、光軸と平行な全反射面２１２及びレンズ面２１３で構成される。レンズ面２１３が適切に形成された場合、コリメータレンズ２００を別途に備える必要がない。各々の発光素子１１０から出射される光は、傾斜面２１１で反射された後に全反射面２１２で反射するごとに、傾斜角に比例して発光素子から出る発散光の発散角度が減少して光を効率的に利用することができる。
【００２０】
直線型光源部の各々の発光素子１１０の前には、各々の発光素子１１０から発生する光を各々のほぼ平行なビームに変換するコリメータレンズが配置される。コリメータレンズは、図４Ａ乃至図４Ｃに示されているように、直線型光源部１００、１００´の各々の発光素子１１０に付着されている小型の棒レンズ（ｒｏｄ  ｌｅｎｓ）１２０及び／またはボールレンズ１３０、非球面レンズ１４０等のアレイでもある。一方、図４Ａ乃至図４Ｃに示された棒レンズなどと円筒形レンズ（またはトリックレンズ）を共に用いてもよい。
【００２１】
また、各々の発光素子は、光を収束、拡散又は平行光ビームに変換するためにＬＥＤチップにエポキシモールドのレンズ面を形成することができる。この時、該レンズ面は、デカルトの卵型面を含む、球面または非球面でもよい。
【００２２】
一方、直線型光源の各々の発光素子に表面発光型のＬＥＤを用いることができる。この場合、ＬＥＤの表面の一部を除いた残りの面に金属膜をコーティングして、発光部位を限定することが望ましい。これは表面発光型ＬＥＤの場合、発光層の側面及び表面から光が出るため、外部の光学系との結合時に結合効率が落ちて正確で有効な平行光または収束光を作ることが難しいためである。従って、ＬＥＤの所定発光の部分だけを除いて、金属膜によってＬＥＤの内部に反射できるように発光部位を限定することによって、光学系の性能を向上させて光学系の構造を簡単にすることができる。
【００２３】
図１及び図２には直線型光源部１００、１００´が２つ配置されているが、適切な設計によって２つ以上の複数個にすることも可能である。この時、直線型光源部の数をｎとする時、各々の直線型光源部が互いに３６０°／ｎの角度をなし、ドラム３００上に配置されるようにするのが望ましい。また、直線型光源部１００、１００´の長さ方向とドラム３００の回転軸が平行するように各々の直線型光源部１００、１００´を配置する。
【００２４】
このような本発明の第１実施例による２次元光走査装置の動作は次のようになる。
【００２５】
回転ドラム３００上に配置されて、第１及び第２直線型光源部１００、１００´が回転するようになり、この時、まず、第１直線型光源部１００がスクリーン５００に向かう場合、第１直線型光源部１００から出た光によってスクリーン５００に光が走査され、第２直線型光源部２００がスクリーンに向かう場合には、第２直線型光源部１００´から出た光によってスクリーン５００に光が走査される。つまり、第１及び第２直線型光源部１００、１００´が回転しながら互いに交替して、走査するようになる。
【００２６】
一方、図示しなかったが、ドラム３００とスクリーン５００の間に拡大レンズを使って走査される画面寸法を拡大させることができ、適切な補正レンズによって、各種光学的誤差を修正して画面の質を向上させることができる。
【００２７】
このような第１実施例による２次元光走査装置１０を用いる映像表示装置は、図１及び図２のようにスクリーン５００をドラム３００に対して一方向に一つ設置して使用できることはもちろん、図６のように２つのスクリーン５００、５００´を使って、映像を示すこともできる。使用されるスクリーンの数とスクリーンの配置は、使用目的に合わせて多様に設計することができ、各々のスクリーンに別途の画面を構成することも可能である。
【００２８】
一方、回転体３００に直線型光源１００を装着して一定の角速度で走査する場合には、スクリーン５００上で中心軸から離れるだけ画質及び解像度が変わる。この時、直線型光源の走査角度に合わせて発光時間を変えることによって、スクリーン５００上で画質を均一に維持できる。図９を参照して、直線型光源１００の走査角度による発光時間の変化を説明する。
【００２９】
図９のように、画面５００がｘ軸上に置かれていて、走査装置の中心軸をｚ軸とすると、画面の平均画素寸法Ｄｘは次の式で規定できる。
【００３０】
Ｄｘ ＝ Ｌ ｔａｎθｍａｘ／ｋ                        （１）
ここで、Ｌは走査距離であり、θｍａｘは最大走査角度であり、（２ｋ+１）は最大画素のライン数である。
【００３１】
一方、θｉがｉ番目ラインの走査角度、θｉ+１は（ｉ+１）番目ラインの走査角度とすると、走査手段３００で走査された光が画面の一地点ｘｉを走査し、次の走査時ｘｉ+１を走査するようになり、任意の地点でこれらの差ｘｉ-ｘｉ+１が平均画素寸法Ｄｘになると、解像度が一定になる。つまり、画面の任意の地点で画素寸法は全体画面で一定（Ｄｘ）にならなければならないので次の式で規定できる。
【００３２】
ｘｉ-ｘｉ+１ ＝ Ｌ（ｔａｎθｉ-ｔａｎθｉ+１） ＝ Ｄｘ      （２）
従って、式１と２を整理すると、次のような式３を得ることができる。
【００３３】
ｔａｎθｍａｘ／ｋ ＝ （ｔａｎθｉ-ｔａｎθｉ+１）          （３）
この時、ｉ番目地点と（ｉ+１）番目地点での走査時間間隔Δｔは、回転体３００に固定された光源が一定の角速度ωで回転すると、次の式になる。
【００３４】
Δｔ ＝ （θｉ-θｉ+１）／２ω                              （４）
従って、ｉ番目地点と（ｉ+１）番目地点での走査時間間隔Δｔは、式３と４によって得ることができる。
【００３５】
つまり、直線型光源１００から変調されて出た光が回転する回転体３００によって２次元に走査されてスクリーン５００に映像が表示され、各々の走査角度に対して前記の式３と４のように発光時間を変更することによって、最終的に画面５００に走査される光の画素寸法Ｄｘが一定になる。つまり、画面上の全地点で画質と解像度が均一になる。
【００３６】
一方、光源の発光時間を調整する方法以外にも補正プリズムブロックなどを使って、スクリーン上に映る映像の画質及び解像度を一定に維持でき、図１０のようにスクリーン５００の前に光ファイバ束を使って、画質及び解像度を均一にすることもできる。
【００３７】
次に、図７を参照して本発明の第２実施例による映像表示装置用２次元光走査装置について説明する。
【００３８】
図７に示された２次元光走査装置１０は、各々図示されていないモータに連結され、回転する第１及び第２ドラム３１０、３１０´と、第１及び第２ドラム３１０、３１０´の間に連結された無端のベルト３３０として構成された移動体上に２つの直線型光源部、つまり、第１直線型光源部１００と第２直線型光源部１００´が配置されて構成される。
【００３９】
この時、第１及び第２ドラム３１０、３１０´の間にベルトが連結されているが、ベルト以外にチェーンなどで２つのドラムの間を連結してもよい。その他の移動手段で線型（リニアモータ）を利用して、光源部を移動するのも可能である。
【００４０】
各々の直線型光源部１００、１００´は、好ましくは多数の発光素子、例えばレーザダイオードまたは発光ダイオードが一列に配列された形態で表示される映像に相当する赤色、緑色、青色の変調した光を放出する。直線型光源部１００は、第１実施例で図３乃至図５を参照して説明したように多様に形成することができる。
【００４１】
図７には直線型光源部１００、１００´が２つ配置されているが、適切な設計によって２つ以上の複数にすることも可能である。この時、直線型光源部の数をｎ、ベルト３３０の長さをｓとすると、各々の直線型光源部が互いにｓ／ｎの間隔でベルト３３０上に配置されるようにすることが望ましい。また、直線型光源部１００、１００´の長さ方向とドラム３１０、３１０´の回転軸が平行するように、各々の直線型光源部１００、１００´をベルト上に配置する。
【００４２】
一方、図７にはベルト３３０を回転させるドラム３１０、３１０´も２つに示されているが、このようなドラムも適切な設計により２つ以上の複数にすることも可能である。
【００４３】
このような本発明の第２実施例による２次元光走査装置の動作は次のようになる。
【００４４】
同じ速度で回転する２つのドラム３１０、３１０´に連結されて回転するベルト３３０上に第１及び第２直線型光源部１００、１００´が配置されて、ベルト３３０が回転することによって共に回転するようになり、この時、第１直線型光源部１００がスクリーン５００に向かう場合に、第１直線型光源部１００から出た光によってスクリーン５００に光が走査され、第２直線型光源部１００´がスクリーンに向かう場合には第２直線型光源部１００´から出た光によって、スクリーン５００に光が走査される。つまり、第１及び第２直線型光源部１００、１００´が回転するベルト３３０上で移動しながら互いに交替して走査するようになる。
【００４５】
この時、ドラムが一定の角速度で回転する場合、ベルト３３０はほぼ等速度運動をするため、走査方向の画面の長さをＬ、秒当たり画面数をｍとすると、秒当たりＬ×ｍ程度の走査をするため、ドラム３００の半径をｒ、ドラムの回転角速度をωとすると、線速度ｖは、
ｖ ＝ ω×ｒ ＝ Ｌ×ｍ
という関係を有するようになる。
【００４６】
この時、ドラムの回転角速度ωを一定にすると線速度ｖも一定速度になるため、走査時間も一定になる。また、等速度直線運動をする区間だけを利用する場合には、ベルト３００の代わりに線型（リニア）モータを利用することもできる。
【００４７】
一方、図示しなかったが、直線型光源部１００、１００´とスクリーン５００の間に拡大レンズを用いて走査される画面寸法を拡大しながら、適切な補正レンズによって、各種光学的誤差を修正して画面の質を向上させることができる。
【００４８】
このような第２実施例による２次元光走査装置１０を用いる映像表示装置は、図７のようにスクリーン５００を走査装置１０に対して一方向に一つ設置して、使用できることはもちろん、使用目的によりスクリーンの数も２つ以上の複数にすることもできる。
【００４９】
スクリーンの数を３つにする映像表示装置が図８に例示されている。このような映像表示装置に用いる走査装置１０は、３つの回転ドラム３１０、３１０´、３１０"を用いることができ、ドラムを連結する無端ベルト３３０の上に複数の直線型光源部を配置することができる。図８には３つの直線型光源部１００、１００´１００"と３つのスクリーン５００、５００´、５００"を配置したものが示されている。このように、本発明による映像表示装置は、表示しようとするスクリーンの数、配置またはタイプ（投射形または反射型）は使用目的により多様に設計でき、各々のスクリーンに別途の画面を構成するようにできる。
【００５０】
また、第２実施例による光走査装置は、ベルトに固定された直線型光源が移動する時、直線運動または回転運動が可能で、直線型光源が直線運動をする場合または回転運動をする場合にだけ映像を走査することもでき、多様に映像を走査できる効果がある。
【００５１】
以上、本願発明の技術的特徴を特定の実施例を中心に説明したが、本願発明が属する技術分野における通常の知識を有する人なら、本発明による技術的な思想の範囲内でも色々な変形及び修正を加えられることは明白である。特に、直線型光源部が配置される回転体の場合、本発明の第１及び第２実施例で説明したこと以外にも多様に変更できることは当然である。
【図面の簡単な説明】
【００５２】
【図１】本発明の第１実施例による２次元光走査装置を概略的に示した斜視図である。
【図２】本発明の第１実施例による２次元光走査装置を概略的に示した側面図である。
【図３Ａ】直線型光源を例示した図である。
【図３Ｂ】直線型光源を例示した図である。
【図４Ａ】コリメータレンズ部を例示した図である。
【図４Ｂ】コリメータレンズ部を例示した図である。
【図４Ｃ】コリメータレンズ部を例示した図である。
【図５】楔型プリズムを例示する図である。
【図６】本発明の第１実施例の他の例である。
【図７】本発明の第２実施例による２次元光走査装置を概略的に示した側面図である。
【図８】本発明の第２実施例の他の例である。
【図９】第１実施例で発光時間を変化させることについて説明する図である。
【図１０】光ファイバ束を利用したスクリーンを例示する図である。
【図１】
2007508598.tif 000003
【図２】
2007508598.tif 000004
【図３Ａ】
2007508598.tif 000005
【図３Ｂ】
2007508598.tif 000006
【図４Ａ】
2007508598.tif 000007
【図４Ｂ】
2007508598.tif 000008
【図４Ｃ】
2007508598.tif 000009
【図５】
2007508598.tif 000010
【図６】
2007508598.tif 000011
【図７】
2007508598.tif 000012
【図８】
2007508598.tif 000013
【図９】
2007508598.tif 000014
【図１０】
2007508598.tif 000015
【手続補正書】
【提出日】平成18年5月24日(2006.5.24)
【手続補正１】
【補正対象書類名】特許請求の範囲
【補正対象項目名】請求項１４
【補正方法】変更
【補正の内容】
【請求項１４】
前記直線型光源部の最大走査角度θｍａｘを所定の解像度で分割してｉ番目の走査角度θｉと（ｉ+１）番目の走査角度θｉ+１の間で直線型光源が変調された光を発光する時間間隔Δｔは、次の式
ｔａｎθｍａｘ ＝ ｋ（ｔａｎθｉ-ｔａｎθｉ+１）
Δｔ ＝ （θｉ-θｉ+１）／ω
（ここで
（２ｋ+１）は最大画素のライン数；
θｉ+１は（ｉ+１）番目の走査角度；
ωは走査手段の回転角速度である）
を満足することを特徴とする請求項１に記載の２次元光走査装置。
【手続補正２】
【補正対象書類名】特許請求の範囲
【補正対象項目名】請求項１５
【補正方法】変更
【補正の内容】
【請求項１５】
前記直線型光源部の最大走査角度θｍａｘを所定の解像度で分割してｉ番目の走査角度θｉと（ｉ+１）番目の走査角度θｉ+１の間で直線型光源が変調した光を発光する時間間隔Δｔは、次の式
ｔａｎθｍａｘ ＝ ｋ（ｔａｎθｉ-ｔａｎθｉ+１）
Δｔ ＝ （θｉ-θｉ+１）／ω
（ここで
（２ｋ+１）は最大画素のライン数；
θｉ+１は（ｉ+１）番目の走査角度；
ωは走査手段の回転角速度である）
を満足することを特徴とする請求項４に記載の２次元光走査装置。
【手続補正３】
【補正対象書類名】明細書
【補正対象項目名】００３４
【補正方法】変更
【補正の内容】
【００３４】
Δｔ ＝ （θｉ-θｉ+１）／ω                              （４）
従って、ｉ番目地点と（ｉ+１）番目地点での走査時間間隔Δｔは、式３と４によって得ることができる。
【国際調査報告】
2007508598.tif 000016